【事件の表示】
　特願２００４−５３７８５９「シトクロムＰ４５０活性の測定方法」拒絶査定不服審判事件〔平成１６年　４月　１日国際公開，ＷＯ２００４／０２７３７８，平成１８年　３月　９日国内公表，特表２００６−５０８３３９〕について，次のとおり審決する。
【結　論】
　本件審判の請求は，成り立たない。
【理　由】
第１　手続の経緯及び本願発明 
　本願は，平成１５年９月１６日（パリ条約による優先権主張　平成１４年９月２０日，米国　及び　平成１５年６月２７日，米国）を国際出願日とする出願であって，平成２０年１月２３日に拒絶理由通知が出され，同年６月４日に手続補正がなされ，同年７月３１日付けで拒絶査定がされ，これに対し，同年１１月４日に拒絶査定不服審判の請求がされたものである。そして，本願の特許請求の範囲の請求項１〜１２に係る発明は，平成２０年６月４日付け手続補正書により補正された，特許請求の範囲の請求項１〜１２に記載された事項により特定されるとおりのものであって，その請求項１に係る発明は，次のとおりのものであると認める。（以下，「本願発明」という。）  
「【請求項１】
　シトクロムＰ４５０酵素の活性を測定する方法であって，以下の：
　（ａ）シトクロムＰ４５０の基質でありかつ生物発光酵素の基質前駆体である発光原分子を提供すること，
　（ｂ）前記発光原分子を少なくとも１つのシトクロムＰ４５０酵素および少なくとも１つの生物発光酵素と接触させることにより，反応混合物を作製すること，ならびに
　（ｃ）前記反応混合物の発光を測定することによりシトクロムＰ４５０の活性を決定すること
を包含する方法。」
　
第２　引用文献及びその記載事項
１．　原査定の拒絶理由に引用され，本願優先権主張日前に頒布された刊行物である国際公開第００／３５９００号（以下，「刊行物１」という。）には，以下の事項が記載されている。（なお，提示した翻訳は，対応する日本語出願の公表公報である特表２００２−５３２４８７号公報の記載に基づく。また，翻訳の頭等に記した「（【０５４７】）」等の事項は，特表２００２−５３２４８７号公報の対応する段落番号を参考のために付したものである。　また，下線は当審にて付記したものである。）
（１−ア）特許請求の範囲請求項１及び請求項１３
「1. A compound useful as a sensor for cytochrome P450 activity having the structure: Y-L-Q, wherein: Y is selected from the group consisting of Q as herein defined, saturated C1-C20 alkyl, unsaturated C1-C20 alkenyl, unsaturated C1-C20 alkynyl, substituted saturated C1-C20 alkyl, substituted unsaturated C1-C20 alkenyl, substituted unsaturated C1-C20 alkynyl, C1-C20 cycloalkyl, C1-C20 cycloalkenyl, substituted saturated C1-C20 cycloalkyl, substituted unsaturated C1-C20 cycloalkenyl, aryl, substituted aryl, heteroaryl and substituted heteroaryl; wherein if Y is selected from Q as herein defined, L is L', wherein L'is selected from the group of- (CR4H) (- OCR2H)p,-(CR4H) (-O(CR4H) (-O (substituted ortho-phenyl) CR2H) p-,-(CR4H) (-O (substituted meta-phenyl) CR2H) p-, and- (CR2H) (-0 (substituted para-phenyl) CR2H) p, wherein each R2 and each R4 is separately selected from the group consisting of a hydrogen atom, saturated C1-C20 alkyl, unsaturated C1-C20 alkenyl, unsaturated C1-C20 alkynyl, substituted saturated C1-C20 alkyl, substituted unsaturated C1-C20 alkenyl, substituted unsaturated C1-C20 alkynyl, C1-C20 cycloalkyl, C1-C20 cycloalkenyl, substituted saturated C1-C20 cycloalkyl, substituted unsaturated C1-C20 cycloalkenyl, aryl, substituted aryl, heteroaryl and substituted heteroaryl and p is a positive integer no greater than twelve; L has the chemical structure L', as herein defined, or (-OCR2H)p-, wherein each R2 is separately selected from the group consisting of a hydrogen atom, saturated C1-C20 alkyl, unsaturated C1-C20 alkenyl, unsaturated C1-C20 alkynyl, substituted saturated C1-C20 alkyl, substituted unsaturated C1-C20 alkenyl, substituted unsaturated C1-C20 alkynyl, C1-C20 cycloalkyl,  C1-C20cycloalkenyl, substituted saturated C1-C20 cycloalkyl, substituted unsaturated C1-C20 cycloalkenyl, aryl, substituted aryl, heteroaryl, substituted heteroaryl, and p is a positive integer no greater than twelve; and Q has a structure selected from the group consisting the following structures: 
　（化学物質構造式の一部省略）
　
　wherein: m is a positive integer no greater than five; Ra, Rb, Rc, Rd, Re, Rf , Rg, Rh, Ri, Rj, Rk, and Rl,are each separately selected from the group consisting of a hydrogen atom, a halogen atom, C1-C20 alkyl, substituted C1-C20 alkyl, perhalogenated alkyl, cyloalkyl, substituted cycloalkyl, aryl, substituted aryl, benzyl, heteroaryl, substituted heteroaryl, cyano, nitro, azido,- SRs,-ORo,-NRn1Rn2,-N+Rn1Rn2Rn3,-P+Rn1Rn2Rn3,-CORc, -C(=NORo)Rc,- CSRc,- OCORc, -OCONRn1Rn2,-OCO2Rc,-CONRn1Rn2,-C(=N)NRn1Rn2,(=N)NRn1Rn2, -CO2Ro,- SO2NRn1Rn2,-SO3Ro,-SO2Ro,-PO(ORo)2,-NRn1CSNRn1Rn2,-NRn1C(=N)NRn2Rn3,- NRn1CONRn2Rn3, -NRn1CORc and-NRn1S (=O) 2Rs; Rn1, Rn2, Rn3 Ro and Rs are each separately selected from the group consisting of a hydrogen atom, C1-C20 alkyl, substituted C1-C20 alkyl, cyloalkyl, substituted cycloalkyl, aryl, substituted aryl, benzyl, heteroaryl, substituted heteroaryl and may constitute parts of an aliphatic or aromatic heterocycle; Rc is selected from the group consisting of a hydrogen atom, C1-C20 alkyl, substituted C1-C20 alkyl, perhalogenated alkyl, cyloalkyl, substituted cycloalkyl, aryl, substituted aryl, benzyl, heteroaryl, substituted heteroaryl, cyano and may constitute parts of an aliphatic or aromatic homo-or heterocycle; A is selected from the group consisting of an oxygen atom, a sulfur atom, SO, SO2, C (CH3) 2 and C (CF3)2; E and E'are separately selected from the group consisting of an oxygen atom, a sulfur atom and NRn1; G is selected from the group consisting of an oxygen atom, a sulfur atom, and NRn1Rn2, wherein if G is selected from NRn1Rn2, G and Rc, as well as G and Rd, may constitute parts of a heterocycle; and T is selected from the group consisting of an oxygen atom and NRn1. 
　
13. A method of quantifying the activity of a CYP450 enzyme by using the compound of Claim 1, 3,7,9,11 or 12.」 
（翻訳）
「【請求項１】  Ｙ−Ｌ−Ｑの構造を有する，シトクロムＰ４５０活性に対するセンサとして有用な化合物であって，
  Ｙは，本明細書に定めるＱ，ならびにＣ1からＣ20の飽和アルキル，Ｃ1からＣ20の不飽和アルケニル，Ｃ1からＣ20の不飽和アルキニル，Ｃ1からＣ20の置換飽和アルキル，Ｃ1からＣ20の置換不飽和アルケニル，Ｃ1からＣ20の置換不飽和アルキニル，Ｃ1からＣ20のシクロアルキル，Ｃ1からＣ20のシクロアルケニル，Ｃ1からＣ20の置換飽和シクロアルキル，Ｃ1からＣ20の置換不飽和シクロアルケニル，アリール，置換アリール，ヘテロアリールおよび置換ヘテロアリールからなるグループから選択され，Ｙが本明細書に定めるＱから選択される場合は，ＬはＬ’であり（ただし，Ｌ’は−（ＣＲ4Ｈ）（−ＯＣＲ2Ｈ）p−，−（ＣＲ4Ｈ）（−Ｏ（置換オルトフェニル）ＣＲ2Ｈ）p−，−（ＣＲ4Ｈ）（−Ｏ（置換メタフェニル）ＣＲ2Ｈ）p−および−（ＣＲ4Ｈ）（−Ｏ（置換パラフェニル）ＣＲ2Ｈ）p−のグループから選択され（ただし，各々のＲ2およびＲ4は，水素原子，Ｃ1からＣ20の飽和アルキル，Ｃ1からＣ20の不飽和アルケニル，Ｃ1からＣ20の不飽和アルキニル，Ｃ1からＣ20の置換飽和アルキル，Ｃ1からＣ20の置換不飽和アルケニル，Ｃ1からＣ20の置換不飽和アルキニル，Ｃ1からＣ20のシクロアルキル，Ｃ1からＣ20のシクロアルケニル，Ｃ1からＣ20の置換飽和シクロアルキル，Ｃ1からＣ20の置換不飽和シクロアルケニル，アリール，置換アリール，ヘテロアリール，置換ヘテロアリールからなるグループから個別に選択され，ｐは１２以下の正の整数である）），
  Ｌは，本明細書に定める化学構造Ｌ’または（−ＯＣＲ2Ｈ）p−（ただし，各々のＲ2は水素原子，Ｃ1からＣ20の飽和アルキル，Ｃ1からＣ20の不飽和アルケニル，Ｃ1からＣ20の不飽和アルキニル，Ｃ1からＣ20の置換飽和アルキル，Ｃ1からＣ20の置換不飽和アルケニル，Ｃ1からＣ20の置換不飽和アルキニル，Ｃ1からＣ20のシクロアルキル，Ｃ1からＣ20のシクロアルケニル，Ｃ1からＣ20の置換飽和シクロアルキル，Ｃ1からＣ20の置換不飽和シクロアルケニル，アリール，置換アリール，ヘテロアリール，置換ヘテロアリールからなるグループから個別に選択され，ｐは１２以下の正の整数である）を有し，
  Ｑは下記の構造からなるグループから選択される化合物であり，
　（化学物質構造式の一部省略）
　
　ただし，
  ｍは５以下の正の整数であり，
  Ｒa，Ｒb，Ｒc，Ｒd，Ｒe，Ｒf，Ｒg，Ｒh，Ｒi，Ｒj，Ｒk，およびＲlは，それぞれ水素原子，ハロゲン原子，Ｃ1からＣ20のアルキル，Ｃ1からＣ20の置換アルキル，過ハロゲン化アルキル，シクロアルキル，置換シクロアルキル，アリール，置換アリール，ベンジル，ヘテロアリール，置換ヘテロアリール，シアノ，シクロ，アジド，−ＳＲs，−ＯＲo，−ＮＲn1Ｒn2，−Ｎ+Ｒn1Ｒn2Ｒn3，−Ｐ＋Ｒn1Ｒn1Ｒn3，−ＣＯＲc，−Ｃ（＝ＮＯＲo）Ｒc，−ＣＳＲc，−ＯＣＯＲc，−ＯＣＯＮＲn1Ｒn2，−ＯＣＯ2Ｒc，−ＣＯＮＲn1Ｒn2，Ｃ（＝Ｎ）ＮＲn1Ｒn2，−ＣＯ2Ｒo，−ＳＯ2ＮＲn1Ｒn2，−ＳＯ3Ｒo，−ＳＯ2Ｒo，−ＰＯ（ＯＲo）2，−ＮＲn1ＣＳＮＲn2Ｒn3，−ＮＲn1Ｃ（＝Ｎ）ＮＲn2Ｒn3，−ＮＲn1ＣＯＮＲn2Ｒn3，−ＮＲn1ＣＯＲcおよび−ＮＲn1Ｓ（＝Ｏ）2Ｒsからなるグループから個別に選択され，
  Ｒn1，Ｒn2，Ｒn3，ＲoおよびＲsは，それぞれ水素原子，Ｃ1からＣ20のアルキル，Ｃ1からＣ20の置換アルキル，シクロアルキル，置換シクロアルキル，アリール，置換アリール，ベンジル，ヘテロアリール，置換ヘテロアリールからなるグループから個別に選択され，脂肪族または芳香族複素環の一部を形成することができ，
  Ｒcは，水素原子，Ｃ1からＣ20のアルキル，Ｃ1からＣ20の置換アルキル，過ハロゲン化アルキル，シクロアルキル，置換シクロアルキル，アリール，置換アリール，ベンジル，ヘテロアリール，置換ヘテロアリールおよびシアノからなるグループから選択され，脂肪族または芳香族ホモまたは複素環の一部を形成することができ，
  Ａは，酸素原子，硫黄原子，ＳＯ，ＳＯ2，Ｃ（ＣＨ3）2およびＣ（ＣＦ3）2からなるグループから選択され，
  ＥおよびＥ’は酸素原子，硫黄原子およびＮＲn1からなるグループから選択され，
  Ｇは，酸素原子，硫黄原子およびＮＲn1Ｒn2からなるグループから選択され，ＧがＮＲn1Ｒn2から選択される場合には，ＧおよびＲc，ならびにＧおよびＲdは複素環の一部を形成することができ，
  Ｔは，酸素原子およびＮＲn1からなるグループから選択される化合物。
　
【請求項１３】
　
請求項１，３，７，９，１１または１２に記載の化合物を使用することによってＣＹＰ４５０酵素の活性を定量する方法。
　
（１−イ）発明の要約　４頁５−２６行
「  The invention provides a compound, useful as an optical probe or sensor of the activity of at least one cytochrome P450 enzyme, and methods of using the compound to screen candidate drugs, and candidate drugs identified by these methods. The optical probe of the invention is a compound having the generic structure Y-L-Q, wherein Y is selected from the group consisting of Q as herein defined, saturated C1-C20 alkyl, unsaturated C1-C20 alkenyl, unsaturated C1-C20 alkynyl, substituted saturated C1-C20 alkyl, substituted unsaturated C1-C20 alkenyl, substituted unsaturated C1-C20 alkynyl, C1-C20  cycloalkyl, C1-C20 cycloalkenyl, substituted saturated C1-C20 cycloalkyl, substituted unsaturated C1-C20 cycloalkenyl, aryl, substituted aryl, heteroaryl and substituted heteroaryl; L is selected from the group of (-OCR2H)p-, wherein for each p, all R2 are separately selected from the group consisting of a hydrogen atom, saturated C1-C20 alkyl, unsaturated C1-C20 alkenyl, unsaturated C1-C20 alkynyl, substituted saturated C1-C20 alkyl, substituted unsaturated C1-C20 alkenyl, substituted unsaturated C1-C20 alkynyl,  C1-C20　cycloalkyl, C1-C20 cycloalkenyl, substituted saturated C1-C20 cycloalkyl, substituted unsaturated C1-C20 cycloalkenyl, aryl, substituted aryl, heteroaryl, substituted heteroaryl, and p is a positive integer no greater than twelve; and Q is a chemical moiety that gives rise to optical properties in its hydroxy or hydroxylate, phenol or phenoxide form that are different from the optical properties that arise from its ether form. Most preferably, p is one, R2 is hydrogen, and Q is the ether form of a phenoxide fluorophore.」
（翻訳）
「本発明は，少なくとも１つのシトクロムＰ４５０の活性の光学プローブまたはセンサとして有用な化合物，当該化合物を使用して候補薬物をスクリーニングする方法，およびこれらの方法によって識別される候補薬物を提供する。本発明の光学プローブはＹ−Ｌ−Ｑの一般構造を有する化合物であって，Ｙは本明細書に定めるＱ，Ｃ1からＣ20の飽和アルキル，Ｃ1からＣ20の不飽和アルケニル，Ｃ1からＣ20の不飽和アルキニル，Ｃ1からＣ20の置換飽和アルキル，Ｃ1からＣ20の置換不飽和アルケニル，Ｃ1からＣ20の置換不飽和アルキニル，Ｃ1からＣ20のシクロアルキル，Ｃ1からＣ20のシクロアルケニル，Ｃ1からＣ20の置換飽和シクロアルキル，Ｃ1からＣ20の置換不飽和シクロアルケニル，アリル，置換アリル，ヘテロアリルおよび置換ヘテロアリルから構成されるグループから選択され，Ｌは（−ＯＣＲ2Ｈ）p（ただし，各々のｐについて，Ｒ2は水素原子，Ｃ1からＣ20の飽和アルキル，Ｃ1からＣ20の不飽和アルケニル，Ｃ1からＣ20不飽和アルキニル，Ｃ1からＣ20の置換飽和アルキル，Ｃ1からＣ20の置換不飽和アルケニル，Ｃ1からＣ20の置換不飽和アルキニル，Ｃ1からＣ20のシクロアルキル，Ｃ1からＣ20のシクロアルケニル，Ｃ1からＣ20の置換飽和シクロアルキル，Ｃ1からＣ20の置換不飽和シクロアルケニル，アリル，置換アリル，ヘテロアリル，置換ヘテロアリルから構成されるグループから個別に選択され，ｐは１２以下の整数である）のグループから選択され，Ｑは，そのヒドロキシまたはヒドロキシレート，フェノールまたはフェノキシド型においてそのエーテル型から生じる光学特性とは異なる光学特性を与える化学成分である化合物である。最も好ましくは，ｐは１で，Ｒ2は水素で，Ｑはエーテル型のフェノキシドである。」
　
（１−ウ）１７頁２５行−１８頁１３行
Nevertheless Q may be a chromophore, so long as it exhibits optical properties in its hydroxy or hydroxylate form. e. g., after interaction with an active CYP450 enzyme, that differ from its ether form, e. g., in its unreacted state. Most generally, Q is a chemical moiety that exhibits optical properties in its free hydroxy or its hydroxylate, usually phenoxide, form that are different from the optical properties that it exhibits in its ether form. Suitable structures of Q, as used herein, may also be found in U. S. Patent No. 5,741,657, which is incorporated by reference herein. 
　
The optical CYP450 sensor compounds of the present invention may be used to determine CYP450 activities by a variety of optical signals, including for example, in the context of (a) the CYP450-catalyzed formation of chromogenic or fluorgenic or luminescent phenols, (b) the CYP450-catalyzed formation of chromogenic or fluorgenic precipitates, (c) the CYP450-catalyzed light generation from conversion of a phenolic dioxetane substrate, (d) the CYP450-catalyzed liberation of a salicilate or other phenolic ligand detectable by heavy metal chelate formation to give a colored, fluorescent, phosphorescent or electrochemiluminescent product, and (e) the CYP450-catalyzed liberation of a sensitizer for light generation by peroxide/luminol, and (f) the CYP450- catalyzed liberation of a substrate suitable for secondary enzyme detection (e. g., the liberation of a luciferin, which may be detected by a luciferase). 
（翻訳）
「【００３４】
  
好ましくは，Ｑは蛍光体である。
      【００３５】
  本発明の光学ＣＹＰ４５０センサを使用して，例えば（ａ）ＣＹＰ４５０Ｐを触媒とした発色または蛍光または発光フェノールの形成，（ｂ）ＣＹＰ４５０を触媒とした発色または蛍光沈殿物の形成，（ｃ）ＣＹＰ４５０を触媒とした，フェノールジオキセタン基質の変換による光の生成，（ｄ）発色，蛍光，リン光または電気化学発光生成物を与える重金属器レート形成によって検出可能なサリシレートまたは他のフェノールリガンドの，ＣＹＰ４５０を触媒とした遊離，（ｅ）ＣＹＰ４５０を触媒とした，過酸化物／ルミノールによる光生成のための感光体の遊離，
（ｆ）ＣＹＰ４５０を触媒とした，二次酵素検出に適した基質の遊離（例えば，ルシフェラーゼによって検出することができるルシフェリンの遊離）などを含めたＣＹＰ４５０の活性を様々な光信号によって測定することができる。
　
（１−エ）２４頁１８−２３行
「According to present invention, FIG. 2 illustrates Reaction Scheme 2, which shows a generic structure of the optical CYP450 substrate/sensor of the present invention, and the CYP450-catalyzed hydroxylation reaction. FIG. 3 illustrates Reaction Scheme 3, which compares the hvdroxylation reaction that may lead to a free phenolic dye of a known optical CYP450 sensor (top) and an optical CYP450 sensor compound of the present invention (bottom). 」
（翻訳）
「【００５４】
  本発明によれば，図２は，本発明の光学ＣＹＰ４５０基質／センサの一般構造，およびＣＹＰ４５０を触媒とするヒドロキシル化反応を示す反応スキーム２を説明した図である。図３は，既知の光学ＣＹＰ４５０センサ（上）と
本発明の光学ＣＹＰ４５０センサ化合物（下）との遊離フェノール染料を導きうるヒドロキシル化反応を比較する反応スキーム３を説明した図である。
　
（１−オ）ＦＩＧ．３
図３の下段の図には，Ｒ１−ＣＨ２−Ｏ−ＣＨ２−フェノール性染料がシトクロムＰ４５０酸化還元酵素とＮＡＤＰＨを触媒として分解され，フェノール性染料と生産物に分解される状態が図示されている。
　
（１−カ）ＦＩＧ．１
　蛍光物質であるフェノキサゾンが，前駆体からＣＰＹ４５０の作用により，遊離する反応スキームが記載されている。
　
（１−キ）ＦＩＧ．２
　フェノール性染料が，前駆体からＣＰＹ４５０の作用により，遊離する反応スキームが記載されている。
　
（１−ク）１頁１８行
「cytochrome P450 enzyme (CYP450)」
（翻訳） 
「【０００３】
シトクロムｐ４５０酵素（ＣＹＰ４５０）
　
　ここで，請求項１記載の下記の化学物質を，「化学物質ＸＸＶＩＩＩ」ということとする。
　
　
　また，刊行物１における「ＣＹＰ４５０」なる記号は，摘記事項（１−ク）によれば，シトクロムＰ４５０の略号であることがわかる。
　
（刊行物１記載の発明）
　以上の記載事項を総合すると，刊行物１には，次の発明（以下，「刊行物１発明」という。）が，記載されていると認められる。
「Ｙ−Ｌ−Ｑの構造を有する，Ｑに化学物質ＸＸＶＩＩＩを選択したシトクロムＰ４５０活性に対するセンサとして有用な化合物であって，該化合物を使用して，シトクロムＰ４５０を触媒とした，ルシフェラーゼによって検出することができるルシフェリンの遊離により，シトクロムＰ４５０の活性を光信号によって定量する方法」
　
第３　対比・判断
　本願発明と刊行物１発明を対比する。
ア．刊行物１発明の「ルシフェリン」及び「ルシフェラーゼ」は，本願発明の「発光原分子」及び「生物発光酵素」に相当する。
　
イ．刊行物１記載の「シトクロム４５０の活性を光信号によって定量することができる方法」は，本願発明の「シトクロムＰ４５０酵素の活性を測定する方法」に相当する。
　
ウ．刊行物１発明の化学物質ＸＸＶＩＩＩは，Ｒａ，Ｒｂ，Ｒｆという選択基を有しており，請求項１（摘記事項（１−ア）参照。）によれば「Ｒa，Ｒb，Ｒc，Ｒd，Ｒe，Ｒf，Ｒg，Ｒh，Ｒi，Ｒj，Ｒk，およびＲlは，それぞれ水素原子」とされている。これらの選択基に水素を選び，かつ，「→」の「Ｏ−」が，「ＨＯ−」となれば，ルシフェリンとなる。
　
　ここで，上記摘記事項（１−ウ）の「ＣＹＰ４５０を触媒とした，二次酵素検出に適した基質の遊離（例えば，ルシフェラーゼによって検出することができる
ルシフェリンの遊離
　したがって，刊行物１発明の「Ｙ−Ｌ−Ｑの構造を有する，Ｑに化学物質ＸＸＶＩＩＩ（ただし，Ｒa，Ｒb及びＲfは，水素原子）を選択したシトクロムＰ４５０活性に対するセンサとして有用な化合物」なる特定事項は，本願発明の「（ａ）シトクロムＰ４５０の基質でありかつ生物発光酵素の基質前駆体である発光原分子を提供すること，」に相当する。
　
エ．刊行物１発明は，「ルシフェラーゼによって検出することができるルシフェリンの遊離により，シトクロムＰ４５０の活性を光信号によって定量する」という特定事項を具備している。シトクロムＰ４５０の活性を定量するということから，シトクロムＰ４５０は，試料液に含まれているといえる。そして，遊離したルシフェリンは，ルシフェラーゼという酵素によって発光し，ルシフェラーゼが存在しないとルシフェリンの発光は起きないから，試料液に，ルシフェラーゼが添加されることは明らかである。そうすると，それらの物質を添加した結果，試料液には，「シトクロムＰ４５０」，「Ｙ−Ｌ−Ｑの構造を有する，Ｑに化学物質ＸＸＶＩＩＩ（ただし，Ｒa，Ｒb及びＲfは，水素原子）を選択したシトクロムＰ４５０活性に対するセンサとして有用な化合物」及び「ルシフェラーゼ」が含まれる反応混合物が作成されることとなる。
　また，刊行物１発明の「シトクロムＰ４５０を定量する」とは，シトクロムＰ４５０の活性を決定することに包含される概念である。
　よって，刊行物１発明の「該化合物を使用して，シトクロムＰ４５０を触媒とした，ルシフェラーゼによって検出することができるルシフェリンの遊離により，シトクロムＰ４５０の活性を光信号によって定量する」という特定事項は，本願発明の「（ｂ）前記発光原分子を少なくとも１つのシトクロムＰ４５０酵素および少なくとも１つの生物発光酵素と接触させることにより，反応混合物を作製すること，ならびに
　（ｃ）前記反応混合物の発光を測定することによりシトクロムＰ４５０の活性を決定する」に相当する。
　
　以上のことから，本願発明と刊行物１発明は，
「シトクロムＰ４５０酵素の活性を測定する方法であって，以下の：
　（ａ）シトクロムＰ４５０の基質でありかつ生物発光酵素の基質前駆体である発光原分子を提供すること，
　（ｂ）前記発光原分子を少なくとも１つのシトクロムＰ４５０酵素および少なくとも１つの生物発光酵素と接触させることにより，反応混合物を作製すること，ならびに
　（ｃ）前記反応混合物の発光を測定することによりシトクロムＰ４５０の活性を決定すること
を包含する方法。」
という点で一致し，両者の間に相違点はない。
　
　もっとも，審判請求人は，審判請求書において「引用文献１には，該文献に開示されている化合物が，ルシフェラーゼなどの生物発光酵素を用いたＣＹＰ４５０酵素の活性の測定に実際に有用であるという証拠が開示されていません。」と主張する。
　しかしながら，シトクロムＰ４５０の作用は解明されており，一般的に基質特異性が低い酵素であることは，技術常識となっている。（本願優先権主張日前に発行された刊行物である特開２００２−２５３２４８号公報の【０００５】に「・・・また，チトクロームＰ４５０は，現在までに数百以上の分子種の存在が確認されており，構造の類似性に基づいてファミリーに分類され，さらに類似したものがサブファミリーに分類されている。これらは，
一般的に基質特異性が極めて低く，一つの分子種で多くの化合物を代謝，分解することが知られており
　そして，刊行物１には，ルシフェリンではないものの実施例として，多数の前駆体Ｙ−Ｌ−Ｑ及び多数のＱに相当する蛍光物質使用した例について開示がなされている。
　さらに，刊行物１ＦＩＧ．３下段には，刊行物１に開示された発明の反応スキームの一例が開示されており（摘記事項（１−エ）乃至（１−キ）参照。），蛍光物質であるフェノキサゾンやフェノール染料がシトクロームＰ４５０の作用により，前駆体から遊離しているものが記載されている。すなわち，刊行物１には，例として，Ｙ−Ｌ−Ｑの構造の前駆体からＱに相当する蛍光物質であるフェノキサゾンやフェノール染料が遊離する原理が記載されており，前述の如くシトクロムＰ４５０の基質特異性が低いという技術常識を考慮すれば，Ｑがルシフェリンであっても，シトクロムＰ４５０が作用し同様の原理によりルシフェリンが遊離することは自明であるといえる。
　これらの技術常識，刊行物１記載の具体的な実施例及びシトクロームＰ４５０の作用から，Ｑをルシフェリンとした実施例がなくとも，刊行物１記載の事項に基づいて，当業者にとって過度の試行錯誤を要することなく，ルシフェリンを遊離するＹ−Ｌ−Ｑの構造の前駆体を作成し得ることは明らかである。
　他方，ルシフェリン及びルシフェラーゼによる発光は，本出願前より原理の知られた発光反応であり，刊行物１にも「ルシフェラーゼによって検出可能なルシフェリンの遊離」（摘記事項（１−ウ）参照。）と記載されているようにルシフェラーゼによりルシフェリンを検出できることは技術常識である。他の例を示すならば，特表昭６３−５０１５７１号公報４頁左上欄７−１２行に「本発明による一般式（１）の化合物ならびにルシフェリンメチルエステルは，酵素が結合しているリガンドの検出のための基質として使用することができる。酵素は前記ルシフェリン誘導体から化合物ルシフェリンを遊離させ得なければならない。
遊離されたルシフェリンはなお極微量濃度でホタルＰｈｏｔｉｎｕｓ　ｐｙｒａｌｉｓの酵素ルシフェラーゼにより検出できる。
　刊行物１記載の事項及び上記技術常識に基づいて，ルシフェリンを遊離するＹ−Ｌ−Ｑの構造の前駆体を過度な試行錯誤をすることなく作成し得，そして，ルシフェリンはルシフェラーゼにより検出できるものといえるから，特段の証拠がなくとも，刊行物１記載の化合物が，ルシフェラーゼなどの生物発光酵素を用いたＣＹＰ４５０酵素の活性の測定に実際に有用であることは明白であって，審判請求人の主張を採用することはできない。
　
第４　むすび
　よって，本願発明は，本願優先権主張日前に発行された刊行物である刊行物１に記載された発明であり，特許法第２９条第１項第３号の規定により特許を受けることができない。
　 したがって，本願は，他の請求項に係る発明について検討するまでもなく拒絶すべきものである。
　よって，結論のとおり審決する。